(57)【要約】【課題】従来の炭火焼器は、炭火焼器が大きく、また火消しつぼにいれて火を消していた為、家庭で使用するには場所をとり不便であった。さらに、火をつける際には着火材がないとなかなか火がつかず、これも家庭に浸透する事を妨げる要因となっていた。また、外で使用する際は、車で持ち運ばないと持ち運べないほど大きなものであり、徒歩で移動する人々（釣り人等）が簡易的に使用できるものはなかった。【解決の手段】私の考える炭火焼器は炭火焼器を組立てるという画期的な概念により、収納・持ち運びしやすいようにコンパクト化する開発をおこなった。さらに、着火材を使用しないで、コンロを火付けに利用し、その火をつける機能を炭火焼器につける開発、炭火焼器に火消しつぼの機能をもたせ、収納スペースを削除する開発をおこなった。同時に炭火焼器のデザインを改良した。【選択図】図３
2006130258.tif 000002
【特許請求の範囲】
【請求項１】
炭火焼器（キャンプ等で使用するものを含む）のコンパクト化する技術・概念、収納・持ち運びを簡易にする技術・概念。またそれに伴う炭火の火付け、火消し容器等を炭火焼器自体に持たせる（もしくは炭火焼器とセットにする）技術・概念。
【発明の詳細な説明】
【技術分野】
【０００１】  本発明は、コンパクト化可能な炭を用いた炭火焼器等に関する。
【背景技術】
【０００２】  従来の炭火焼器は、炭火焼器に着火材を入れ、次に炭を入れ使用し、使用後は炭を火消しつぼにいれて火を消していた。また、その炭火焼器は、主に二種類に分かれ、ひとつは炭を入れる器に、さらに炭の熱さを緩和するために炭を入れた器よりさらに大きな器に、炭を入れた器をいれて使用するもの。もうひとつは炭を入れる容器自体が大きく、厚いのもである。【０００３】  キャンプ等のレジャーで使用するバーベキュー用の台は、通常、車で持ち運ぶ。なぜなら、手では持ち運べないほど大きいからである。【０００４】  キャンプ等のレジャーで使用する炭火焼器は、使用対象者が小人数用として規格化されていない。【０００５】  炭火焼器のデザインは昔ながらのデザインで、新規性のあるものは開発されてない。
【発明の開示】
【発明が解決しようとする課題】
【０００６】  炭火焼器・火消しつぼはとても場所をとり、とても不便であった。その為、炭火焼で焼くとおいしく調理できると一般的に認知されているにも関わらず、消費者・サービス業のお店に浸透させられない原因となってしまっている。【０００７】  キャンプ等のレジャーで使用するバーベキュー用の台は大きい為、現地で借りない場合は、車で持ち運び、お手軽に持ち運びができなかった。【０００８】  キャンプ等のレジャーで使用する炭火焼器は、１〜３人位の小人数が対象には規格されておらず、１〜３人位の小人数で使用できる簡易な炭火焼器は開発されず、使用する人もでてこなかった。【０００９】  炭火焼器のデザインは昔ながらのデザインで、新規性のあるものはなく、炭火焼器の市場を広げる上で、取り入れるべき課題である。
【課題を解決するための手段】
【００１０】  私の考える炭火焼器は炭火焼器を組立てるという画期的な概念により、収納・持ち運びしやすいようにコンパクト化する開発をおこなった。【００１１】  家庭で使用する際に、着火材を使用しないですむように、コンロを火付けに利用し、その火をつける機能を炭火焼器（または炭火焼器セットに備え付けた）につける概念により開発をおこなった。【００１２】  従来、火消しつぼをわざわざ使用していたが、私の考える炭火焼器は火消しつぼの機能自体をもった炭火焼器の概念により、収納スペースを削除する開発をおこなった。【００１３】  コンパクト化と同時に炭火焼器のデザインを改良した。
【発明の効果】
【００１４】  上述しように、炭火焼器の収納・持ち運びの不便性を解消し、一般コンシューマー・サービス業界に炭火焼器を浸透させる開発をおこなった。この事は、消費者に炭火焼という、日本古来の伝統的な調理方法を浸透させ、手軽に今以上においしい料理を食卓に提供することになると考える。また、炭火焼器をコンパクト化し、手軽に使用できるようにする事は、現状の炭火焼器単体での販売から、「まつたけ」等とのセット販売、お歳暮等で「高級牛肉」とセットで送る等の販売戦略が考えられ、結果として停滞している炭火焼器市場の需要を押し上げる事が可能と考える。
【発明を実施するための最良の形態】
【００１５】  以下、本発明の形態を図１〜図１２にもとづいて説明する。【００１６】  本発明の形は、論理構造が同じであれば、形状は丸、四角、長方形、円柱形等で使用することができる。そのうち、食卓等で使用するタイプに長方形・持ち運び用に円柱形で説明する。【００１７】  図１は、長方形タイプの炭火焼器を組み立てた完成図であり、図２が収納した際のコンパクト化された図、図３は、コンパクト化された中にどのようなものが収納されているかを示した全体図である。【００１８】  まず、火付けの論理を説明する。図３のＢが火付け器であり、詳しくは図４に記載したので、図４をご覧頂きたい。とっての部分は収納時に収納するスペースがないので、箱ととっては分離（図４のＧ・Ｈ）して収納できるように開発した。使用する際は箱に付いているＨを通す穴に、Ｈの先端のちょこんとでている棒をくぐらせ、かつ、持ち運びが安定するように、Ｈに箱を引っ掛けられる固定板（Ｈの下の図であり、箱をしっかりもてるように、固定板の先端は箱を乗せらるようにまがっている）とで上下ではさむことにより安定して持ち運びさせるように開発した。固定板は収納時に折りたため、持ち運び時に固定できるよう、固定板Ｉととっては一点のみで接っさせ、とってに固定板受けＪを設置することで、使用する時にのみＪで固定させるように開発した。【００１９】  図４の火付け箱の下は、網状等になっており、箱の中に炭を入れ、コンロの上に置き、下からコンロで熱することにより、炭に火がつくように開発した。この火を、炭入れ箱（図３のＣ）に入れる。もし、この箱の素材が、陶器等ではなく、鉄等であれば、この火付け箱自体を炭入れ箱受け（図３のＤ）として使用することが可能である。【００２０】  本体の使用論理を説明する。図５は本体を組み立てた図であり、Ｊの上段の箱は炭が入る箱であり、下段は、食卓と炭入りの箱が直接接さない為の、空間をつくる為の箱である。この空間のおかげで箱に水を入れずに使用してもいいし、当然水を入れて使用する事も可能である。また、図３のＥの木等の板を挟み、さらに熱が食卓に届かないように開発した。この理論はあくまで、概略を説明する為に作成している為、本体を持ち運びしやすいように取っ手等をつけ、アレンジすることが可能である。【００２１】  本体の組み立て理論を説明する。図５のＪが本体であるが、その本体の上段の箱の横から下まで突起がでており、下段の箱の上から中ほどにかけて突起上段の箱の突起と重なるように突起がでている。これを横にカットしたものが図５のＫである。Ｋが組み立てる際の仕組みであり、収納する際には、上段の箱を逆向きにし、接続を図５のＬにする。今回は、長方形の箱で示したが、円等の箱でも、突起の仕組みを利用することにより、つまり、ずらす事により下段の箱の中に上段の箱が収納できる。【００２２】  火消し容器を使用せずに、炭の火を消す理論を説明する。図６の下段が本体を収納したあとの箱であり、その収納された箱の上に火消しの箱をかぶせる（全体図３でいうとＡであり、この火消しの箱は収納する際の収納箱になる）。次に図６の下の図を見ていただきたい。火消しの箱は収納された本体の箱を入れる箱）である。その上にかぶせる収納箱はＭのライ��で本体の収納箱のへりＫの部分と密接にくっつくよう、Ｍの部分の内側は溝になっている。【００２３】  持ち運びタイプの本体の組み立て理論を説明する。図７が本体の完成図であり、図８が収納ケースに入っている中身である。図８のＰが本体の側面である。使用する方法を説明する。図９を見ていただきたい。図９のうち、４枚板がかさなっている図が、図８のＰを広げたときの図である。仕組みは各板１枚に図９のＳ・Ｔが片側ずつについており、引っ張るとＴがＳにぶつかり板が一枚一枚離れないよう開発した。次に図１０を見ていただきたい。図１０のＶが受け皿であり、また、４枚の板は、本体の側面の２分の１を覆うことになる。４枚の側面の両端上下には上にＷ、下にＸがついている。Ｘと受け皿Ｙを組み立てたものがＵであり、ここに、ａを差込む。ａは両端がフックになっており、このフックによって側面２分の１の板と残りの側面２分の１の板及び下受け皿Ｙを固定する。【００２４】  持ち運びタイプ本体の組み立て理論のうち、とっての部分の理論を説明する。図１１をご覧頂きたい。側面２分の１に、とっての引っ掛けられる部分をあらかじめ作成しておき、とっての先端をそこに引っかける。また、本体ととってが安定するように取っての一部についている固定板を本体にあてる。固定板の仕組みは、とっての一点にあらかじめ、固定板を装着しておき、とってに固定板を引っかける場所を作っておき、使用する際は固定板を回し、その固定板が固定されるようにし、その固定された固定板を本体の側面にあてる等とし、上下で固定する。
【図面の簡単な説明】
【００２５】
【図１】  本発明のうち、長方形タイプを組み立てた図
【図２】  本発明のうち、長方形タイプを収納する際の図
【図３】  本発明のうち、長方形タイプを収納する際の図の収納されている中身一覧（Ａ、収納箱の外箱：Ｂ、火付け器：ｃ、あみ：Ｃ、本体の上段、炭を入れる箱：Ｄ、本体の下段：Ｅ、本体受けの板：Ｆ、収納箱の外箱）
【図４】  本発明のうち、長方形タイプの火付け器
【図５】  本発明のうち、長方形タイプを組み立てた際のポイントとなる個所を大きく示した図
【図６】  本発明のうち、長方形タイプを使用したのち、炭の火を消す論理図
【図７】  本発明のうち、持ち運び用の炭火焼器を組み立てた図
【図８】  本発明のうち、持ち運び用の炭火焼器で収納する用具も含め、使用するもの一式（Ｏ、収納箱の外箱：Ｐ、とって及びとめ具：Ｑ、本体の側面：Ｒ、本体の下受け皿兼収納箱の外箱：Ｓ、収納用バンド）
【図９】  本発明のうち、持ち運び用の炭火焼器の側面の組み立て方を示した図
【図１０】  本発明のうち、持ち運び用の炭火焼器の側面と受け皿を組み立てる論理図
【図１１】  本発明のうち、持ち運び用の炭火焼器の取っての組み立て方論理図
【図１２】  本発明のうち、持ち運び用の炭火焼器を持ち運び用に収納した際の一覧図
【図１】
2006130258.tif 000003
【図２】
2006130258.tif 000004
【図３】
2006130258.tif 000005
【図４】
2006130258.tif 000006
【図５】
2006130258.tif 000007
【図６】
2006130258.tif 000008
【図７】
2006130258.tif 000009
【図８】
2006130258.tif 000010
【図９】
2006130258.tif 000011
【図１０】
2006130258.tif 000012
【図１１】
2006130258.tif 000013
【図１２】
2006130258.tif 000014